(57)【特許請求の範囲】
【請求項１】
造営材に形成された埋込孔より前面が露出する形で造営材に埋め込み設置された器体と、当該器体に収納された速結端子装置とを備え、
速結端子装置は、器体の後面に貫設された電線挿入孔を通して器体に導入された電線に接触する端子板と、ばね力を利用して端子板との間で電線を狭持するとともに鎖錠部が電線に当接して抜け止めする接続手段と、当該接続手段による抜け止め状態を解除する解除レバーとで構成され、
解除レバーは、器体の側面に当該側面の後端側に位置する接続位置と上記側面の前端側に位置する解除位置との間を移動自在に取り付けられた手動操作用の操作部と、操作部が上記接続位置から上記解除位置に移動されたときに電線に当接した鎖錠部をばね力に抗して電線から引き離す向きに押し動かす押動部とを有し、
器体の上記側面には、当該側面内で操作部の移動方向に直交する方向において操作部と並ぶ形に、誤操作防止用の突出部が設けられ、
突出部における上記側面からの突出寸法は、上記解除位置に位置した操作部における上記側面からの突出寸法以上であり、
突出部の後端部は、上記解除位置に位置した操作部の後端部よりも器体の後方に位置していることを特徴とする配線器具。
【請求項２】
突出部の後端部は、上記接続位置に位置した操作部の後端部よりも前方に位置していることを特徴とする請求項１記載の配線器具。
【発明の詳細な説明】
【技術分野】
【０００１】
本発明は、速結端子装置を備えた配線器具に関するものである。
【背景技術】
【０００２】
従来から、スイッチやコンセントなどの配線器具が提供されており、この種の配線器具は、造営材に形成された埋込孔より前面が露出する形で造営材に埋め込み設置される器体と、器体に収納され当該器体に設けた電線挿入孔を通して器体内に導入された電線を接続するために速結端子装置とを備えている。
【０００３】
上記速結端子装置としては、例えば、スイッチにおける接点やコンセントにおける刃受などと電気的に接続された端子板と、端子板との間で電線（導体）を狭持して電線と端子板を電気的に接続すると同時に電線を鎖錠して抜け止めする錠ばねと、器体に設けた操作孔を通してドライバなどの工具で操作され錠ばねによる鎖錠を解除する解除釦とで構成されたものがある（例えば、特許文献１参照）。
【０００４】
ところが上記速結端子装置を備えた配線器具は、電線が確実に接続されているのか否かが外部から確認できないため、施工者に対して不安感を与えるという問題があった。また、上記速結端子装置において錠ばねによる電線の鎖錠を解除するためには、ドライバなどの工具を使用しなければならず、電線の解除作業が行い難いという問題もあった。
【０００５】
上述の点に鑑み、手動操作によって錠ばねによる鎖錠を解除することができる速結端子装置を備えた配線器具が提案されており（例えば、特許文献２参照）、以下、この種の配線器具について図７〜図１４を参照して説明する。
【０００６】
図７に示す配線器具は、所謂アースターミナル付きの埋込形コンセントであり、合成樹脂製の箱形のボディ１ａとカバー１ｂとを金属製の組立枠２により結合して器体１を構成している。
【０００７】
ここで、組立枠２は、所謂埋込ボックス３００（図１５参照）などに取り付けるための取付枠を兼ねるものであって、ＪＩＳにおいて埋込型の配線器具用に規格化されている一連の取付枠（ＪＩＳ  Ｃ  ８３７５  大角形連用配線器具の取付枠）とほぼ同一の形状および寸法に形成されている。なお、組立枠２の長手方向に対向する取付片２ｃ，２ｃには、埋込ボックス３００に取り付けるためのボックスねじ用の長孔２ｄ，２ｄと、壁を構成する石膏ボードなどに取り付けるための従来周知のはさみ金具（図示せず）が取着される取着孔２ｅ，２ｅと、前面にプレート枠（図示せず）等を取り付けるためのプレートねじ用のねじ孔２ｆ，２ｆと、壁材などに組立枠２を直に取り付ける際の取付ねじ等が挿通されるねじ挿通孔２ｇ…とが少なくとも設けてある。
【０００８】
器体１は、上記規格化された一連の取付枠に３個まで取り付けることのできる単位寸法の配線器具Ｃの３個分の寸法（以下、「３個モジュール寸法」と称する）に形成されており、ボディ１ａおよびカバー１ｂの両側面に突設された凸部３ａ，３ｂが、組立枠２の両側片２ａ，２ａから各々一対ずつ突設されている略Ｕ形の突出片２ｂ…の内側周縁に係止されることによって、ボディ１ａとカバー１ｂとが組立枠２により固定されて器体１が組み立てられている。
【０００９】
カバー１ｂの前面（器体１の前面）には、一対の栓刃挿入口４ａ，４ｂと接地極挿入口４ｃからなるプラグ差込み口４がカバー１ｂの長手方向に沿って２組設けてあり、接地極付のプラグ（図示せず）を２個同時に接続できるようになっている。また、カバー１ｂの前面における長手方向一端側（図７における右上側）には、配設された２組のプラグ差込み口４と並ぶ形で、２極のプラグに設けられたアース線が接続されるアースターミナル５が配設され、アースターミナル５の前面を覆う扉６がカバー１ｂに開閉自在に取り付けられている。
【００１０】
一方、器体１の内部には、２組の挿入口４ａ，４ｂ，４ｃから挿入された栓刃および接地極と各別に電気的および機械的に接続される一対の接地側刃受７ａ，７ａ、電圧側刃受８ａ，８ａならびに接地刃受９ａ，９ａが、各挿入口４ａ，４ｂ，４ｃに対応する形（各挿入口４ａ，４ｂ，４ｃの奥に位置する形）に収納されている。ここで、接地側刃受７ａ，７ａは、板状の金属部材を加工することで、上記速結端子装置を構成する接地側端子板１０の両端に一体形成される。同様に、電圧側刃受８ａ，８ａも、板状の金属部材を加工することで、上記速結端子装置を構成する電圧側端子板１０の両端に一体形成される。そして、接地側刃受７ａ，７ａと接地側端子板１０とで接地側刃受ブロック７が構成されるとともに、電圧側刃受８ａ，８ａと電圧側端子板１０とで電圧側刃受ブロック８が構成されている。なお、これら接地側刃受ブロック７と電圧側刃受ブロック８とは、全く同一の形状を有している。
【００１１】
一対の接地刃受９ａ，９ａは、同じく板状の金属部材を加工することによって、橋絡片９ｂの両端に一体形成される。また、橋絡片９ｂの一端側には本発明に係る速結端子装置を構成する一対の接地端子板１０’，１０’が一体形成されており、接地刃受９ａ，９ａと橋絡片９ｂと接地端子板１０’とで接地刃受ブロック９が構成されている。また、一対の接地端子板１０’，１０’にはねじ端子金具５ａがかしめ固定され、ねじ端子金具５ａとねじ５ｂと座金５ｃとでアースターミナル５が構成されている。
【００１２】
アースターミナル用の扉６は、可撓性を有する樹脂などから形成されており、先端がカバー１ｂの挿入口（図示せず）に挿入されて、カバー１ｂに係止離脱自在に係止される係止片６ａ，６ａと、ヒンジ部６ｂ，６ｂを介して係止片６ａ，６ａに接続されるとともに、カバー１ｂの前面端部に設けられた開口部１ｃを開閉自在に覆う覆い部６ｃとから構成される。覆い部６ｃは、薄肉状のヒンジ部６ｂ，６ｂにより、係止片６ａ，６ａに対して曲げ伸ばし自在となっている。すなわち、扉６の覆い部６ｃは、係止片６ａ，６ａに対して伸ばしたり折り曲げたりすることにより、カバー１ｂの開口部１ｃを開閉することができるようになっており、閉じた時にアースターミナル５を覆い隠すようになっている。
【００１３】
また、器体１には、プラグ差込口４の栓刃挿入口４ａ，４ｂを自動的に遮蔽する一対の扉１００，１００が収納されている。つまり、配線器具Ｃは、所謂扉付きのコンセントである。扉１００は、合成樹脂成形品からなり器体１内に収納された中枠１０１の前面側に、カバー１ｂの背面側において栓刃挿入口４ａ，４ｂを遮蔽する位置と開放する位置との間でスライド移動自在に配置され、板ばねからなる復帰ばね１０２によって栓刃挿入口４ａ，４ｂを遮蔽する位置に移動する向きに弾性付勢されている。つまり、栓刃挿入口４ａ，４ｂに挿入されたプラグの栓刃に押されることで復帰ばね１０２のばね力に抗して扉１００がスライド移動し、扉１００で遮蔽されていた栓刃挿入口４ａ，４ｂが開放されて栓刃を刃受７ａ，８ａに接続することができ、反対にプラグを抜くと復帰ばね１０２のばね力によって扉１００がスライド移動して栓刃挿入口４ａ，４ｂを遮蔽する位置に復帰し、栓刃挿入口４ａ，４ｂを通して器体１内に異物が侵入するのを防ぐ。
【００１４】
次に上記速結端子装置について説明する。上記速結端子装置は、図７に示すように、器体１の後面に貫設された電線挿入孔９１を通して器体１に導入された電線２００に接触する端子板１０又は１０’と、ばね力を利用して端子板１０，１０’との間で電線２００を狭持するとともに鎖錠部（後述するばね片２２の先端）が電線２００に当接して抜け止めする接続手段となる錠ばね２０、当該錠ばね２０による抜け止め状態を解除する解除レバー３０と、補助ばね５０とで構成されている。
【００１５】
端子板１０は、弾性を有する帯状の金属板より曲成され、図８（ａ）〜（ｃ）に示すように、短冊状の主片１１と、主片１１の長手方向に沿った一方の端縁から後方へ垂下された一対の接触片１２と、主片１１の長手方向に沿った他方の端縁から後方へ垂下された当接片１３とを一体に備えている。ただし、図８においては主片１１の両端部分に一体形成された刃受（接地側刃受７ａ、電圧側刃受８ａ）を省略している。接触片１２には電線の挿入方向（図８（ｃ）における上下方向）に沿った両端部において電線を押圧する一対の押圧部１２ａ，１２ｂと、上側の押圧部１２ｂの先を当接片１３から離れる向きに曲げ起こしてなる被係止部１２ｃとが設けられ、押圧部１２ｂと主片１１の間には、ボディ１ａの底壁に貫設されている電線挿入孔９１と対向し電線が挿通される挿通部１４が形成されている。
【００１６】
錠ばね２０は、図７に示すように、弾性を有する帯状の金属板を略Ｊ字状に曲げ加工してなり、端子板１０の主片１１並びに当接片１３に当接する鈎形の導通片２１と、導通片２１の下端より略Ｕ字状に曲げ形成された前述のばね片２２とを有し、電線に当接して抜け止めするばね片２２の先端が鎖錠部となる。また、ばね片２２には電線から離れる向き（導通片２１に近づく向き）に凸となる曲げ部２２ａが設けられている。このような錠ばね２０は、図１０に示すように主片１１と当接片１３に導通片２１を当接させるとともにばね片２２を接触片１２と対向させる形で端子板１０の内側に配置される。ここで、接触片１２の幅寸法がばね片２２の幅寸法よりも狭くなっており、電線の挿入方向と直交する方向（図８（ｂ）における左右方向）から見て接触片１２の両側にばね片２２がはみ出すようになっている。なお、上述のように構成される端子板１０ならびに錠ばね２０はボディ１ａに設けられた端子板収納室９０に収納される。
【００１７】
そして、錠ばね２０は、電線挿入孔９１から挿入される電線を端子板１０の接触片１２と錠ばね２０のばね片２２との間で狭持するとともに鎖錠部（ばね片２２の先端）を電線に当接することで抜け止めする。
【００１８】
解除レバー３０は合成樹脂成形品からなり、図９（ａ）〜（ｃ）に示すように棒状の操作部３１と、矩形板状であって操作部３１とほぼ平行に配置された板状部（係止部）３２と、操作部３１と板状部３２の長手方向両端同士を連結する連結部３３，３３と、連結部３３，３３より各々側方へ突出する腕部３４，３４と、腕部３４，３４の先端部分より内側に突出する軸部３５，３５と、軸部３５，３５先端面の中央寄りの位置から突出する突台状の押動部３６，３６とが一体に形成されている。そして、軸部３５，３５先端面の外側の部分と押動部３６，３６の外側の面とで補助ばね５０を位置決めするための位置決め部３７，３７が構成されている。
【００１９】
ここで、配線器具Ｃでは、各端子板１０，１０’に対して送り配線用を含めて速結端子装置がそれぞれ２つずつ設けられ、これら２つの速結端子装置が各端子板１０，１０’とともにボディ１ａの各端子板収納室９０に並べて収納される。ボディ１ａの側面には端子板収納室９０と通じる複数の縦溝９３が設けられており、隣り合う一対の縦溝９３，９３を通して連結部３３並びに操作部３１が器体１の外に配置された状態で解除レバー３０がボディ１ａに取り付けられる。ボディ１ａ内で一対の縦溝９３，９３と電線挿入孔９１とに挟まれた部位には、図１１に示すように解除レバー３０の回動時に操作部３１が前後方向に移動する形に軸部３５，３５を支持する一対の支持用リブ９２，９２が設けられている。
【００２０】
補助ばね５０は、図７および図１２に示すように帯板状のばね材を曲げ加工してなり、器体１（ボディ１ａ）の内部壁に当接する当接片５１と、先端近傍で解除レバー３０に当接するばね片５２と、ばね片５２と当接片５１とを連結する略Ｕ字形状の連結片５３と、当接片５１の先端から突出する鈎形の突片５４とを一体に有する。
【００２１】
また、ばね片５２は、解除レバー３０に当接する部位よりも先端側が解除レバー３０から離れる向きに曲げられ、さらに上記当接部位よりも連結片５３寄りの部位で解除レバー３０から離れる向きに屈曲してなる。このような補助ばね５０は、図１２に示すように錠ばね２０とともに端子板１０の内側に配置され、ばね片５２の先端部５２ａが解除レバー３０の腕部３４に設けられている位置決め部３７に位置決めされて解除レバー３０を反操作方向に弾性付勢することになる。
【００２２】
このような補助ばね５０は、解除レバー３０に当接する部位よりも後端寄りの部分（当接片５１）が器体１の内部壁に当接して支持されるとともに、ばね片５２の先端部５２ａが解除レバー３０の腕部３４に設けられている位置決め部３７に位置決めされる。また、図１２に示すように補助ばね５０に対して電線の反挿入向き（図１２における下向き）に当接する部位１１ａが端子板１０に設けられ、補助ばね５０が電線の挿入向きにずれることを抑制している。
【００２３】
上記速結端子装置では、電線２００が接続されていない状態においては、図１３に示すように板状部（係止部）３２が端子板１０の被係止部１２ｃに係止（ラッチ）する回動位置まで解除レバー３０が回動させてある（以下、この回動位置を「初期位置」と称する）。解除レバー３０が上記初期位置にあるときは錠ばね２０のばね片２２の両端部が一対の押動部３６，３６に押動されて鎖錠部（ばね片２２の先端）が接触片１２から離れる向きに撓んだ状態にある。このときばね片２２のばね力と補助ばね５０のばね力によって解除レバー３０が反操作方向（図１３における反時計回り）に弾性付勢されるが、板状部３２が端子板１０の被係止部１２ｃに係止しているために解除レバー３０は上記初期位置に保持されることになる。
【００２４】
そして、電線挿入孔９１を通して電線２００の導体２０１を接触片１２とばね片２２との間に導入すると、図１４に示すように挿通部１４を通して導体２０１の先端が解除レバー３０の板状部３２に当接し、板状部３２を押し上げて板状部３２と被係止部１２ｃとのラッチ状態を解除する。そうすると、ばね片２２ならびに補助ばね５０のばね力で弾性付勢されていた解除レバー３０が反操作方向（図１４における反時計回り）に回動し、解除レバー３０の操作部３１は、器体１の側面の後端側に移動し、図１３においてＰで示す位置に位置する（以下、この位置を「接続位置」と称する）。そして、電線２００は、ばね片２２先端の鎖錠部が導体２０１に当接することによって抜け止めされ、またばね片２２のばね力によって導体２０１が接触片１２に弾接する。さらに導体２０１は一対の押圧部１２ａ，１２ｂによってばね片２２の方へ押圧され、鎖錠部と一対の押圧部１２ａ，１２ｂの押圧力が均衡して電線２００が狭持される。
【００２５】
このように被係止部１２ｃとの係止が外れる際には、板状部３２が被係止部１２ｃに弾かれて音が発生するため、この音によって電線２００が速結端子装置に接続されたことが確認できる。
【００２６】
ここで、端子板１０の主片１１には導体２０１の先端を挿通部１４に案内するための案内部が設けられており、この案内部によって導体２０１を確実に挿通部１４に挿通させることができる。なお、本実施形態においては主片１１に設けられた孔からなる挿通部１４において被係止部１２ｃと対向する端縁に形成された傾斜面１４ａを案内部としている（図１３参照）。
【００２７】
一方、上述したように電線２００が接続された状態で操作部３１を上記接続位置から器体１の前方（図１３における上方向）へ押し上げるように操作すれば、支持用リブ９２，９２に支持された軸部３５，３５を支点にして解除レバー３０が電線接続時と反対方向（図１３における時計回り）に回動し、解除レバー３０の操作部３１は、器体１の側面の前端側に移動し、押動部３６，３３が錠ばね２０のばね片２２を押圧して導体２０１に当接している鎖錠部（ばね片２２の先端）を導体２０１から離すようにばね片２２を撓ませて電線２００の引き抜きが可能となる。以下の説明では、操作部３１を上記接続位置から器体１の前方に移動させた際に、電線２００の引き抜きが可能となる操作部３１の位置を、解除位置と称する。
【００２８】
以上述べたように、従来の配線器具Ｃの上記速結端子装置における解除レバー３０には、器体１の側面に当該側面の後端側に位置する上記接続位置と上記側面の前端側に位置する上記解除位置との間を移動自在に取り付けられた手動操作用の操作部３１が設けられており、この、操作部３１を上記接続位置から上記解除位置に移動させることによって、電線２００の引き抜きが可能となっている。
【特許文献１】特開平１１−１８５９０５号公報（段落〔００１４〕、および図１参照）
【特許文献２】特開２００７−１４９６２９号公報
【発明の開示】
【発明が解決しようとする課題】
【００２９】
上記配線器具Ｃの器体１は、例えば、図１５に示すような埋込ボックス３００を用いて、住宅の壁などの造営材に形成された埋込孔より前面が露出する形で造営材に埋め込み設置される。
【００３０】
図１５に示す埋込ボックス３００は、３個モジュール寸法の器体１を短手方向に２つ並べて取り付けることができる大きさの前面が開口した箱状に形成されており、長手方向両側それぞれの内側面における短手方向両側には取付片３１０が一体に突設されている。これら取付片３１０には、組立枠２の長孔２ｄ，２ｄを挿通したボックスねじが螺着されるねじ孔３２０が形成されている。また、埋込ボックス３００の後壁部（底壁部）には、商用電源（図示せず）や負荷（図示せず）との接続用の電線２００を埋込ボックス３００内に挿入するための挿入孔（図示せず）が設けられている。
【００３１】
そして、配線器具Ｃは、埋込ボックス３００内に引き込まれた電線３００を電線挿入孔９１より器体１内に挿入して速結端子装置に接続してから、器体１を埋込ボックス３００内に差し入れ、その後に、組立枠２の長孔２ｄ，２ｄを挿通させたボックスねじをねじ孔３２０に螺着することによって、埋込ボックス３００に取り付けられる（造営材に埋め込み設置される）。
【００３２】
ところで、このような埋込ボックス３００に取り付けられる２つの配線器具Ｃがいずれもコンセント（上述のアースターミナル付きの埋込形コンセント）やスイッチなどである場合には特に問題はないが、一方がこのようなコンセントなどの商用電源と電線２００で接続される配線器具Ｃであり、他方が商用電源の電線２００ではなくこれよりも低圧の電線２００が接続される配線器具（例えば、モジュラジャックなど）である場合には、埋込ボックス３００には、埋込ボックス３００内のスペースを比較的高圧の電線２００が接続される配線器具が収納されるスペースと、比較的低圧の電線２００が接続される配線器具が収納されるスペースとに仕切って、これら配線器具間の漏電などを防止するセパレータ３３０を設ける必要がある。
【００３３】
上記セパレータ３３０を埋込ボックス３００内に配置されていると、図７〜図１４に示す配線器具の器体１を埋込ボックス３００内に差し入れる際に、図１６に示すように、セパレータ３３０の先端部（前端部）が解除レバー３０の操作部３１の後端部に当接するおそれがあり、そのまま器体１を埋込ボックス３００内に差し入れると、セパレータ３３０によって操作部３１が器体１の前面側に押圧されることになる。
【００３４】
そのため、従来の配線器具Ｃでは、電線２００が接続されて上記接続位置に位置していた操作部３１が、セパレータ３３０などの物体によって、上記接続位置から上記解除位置に移動する（解除レバーが操作される）おそれがあり、これによって、速結端子装置による電線の接続状態が解除されてしまい、電線２００と速結端子装置との接触状態が不安定になってしまうおそれがあった。
【００３５】
本発明は上述の点に鑑みて為されたもので、その目的は、予期せずに解除レバーが操作され、電線の接続状態が解除されてしまうことを防止できる配線器具を提供することにある。
【課題を解決するための手段】
【００３６】
上述の課題を解決するために、請求項１の発明では、造営材に形成された埋込孔より前面が露出する形で造営材に埋め込み設置された器体と、当該器体に収納された速結端子装置とを備え、速結端子装置は、器体の後面に貫設された電線挿入孔を通して器体に導入された電線に接触する端子板と、ばね力を利用して端子板との間で電線を狭持するとともに鎖錠部が電線に当接して抜け止めする接続手段と、当該接続手段による抜け止め状態を解除する解除レバーとで構成され、解除レバーは、器体の側面に当該側面の後端側に位置する接続位置と上記側面の前端側に位置する解除位置との間を移動自在に取り付けられた手動操作用の操作部と、操作部が上記接続位置から上記解除位置に移動されたときに電線に当接した鎖錠部をばね力に抗して電線から引き離す向きに押し動かす押動部とを有し、器体の上記側面には、当該側面内で操作部の移動方向に直交する方向において操作部と並ぶ形に、誤操作防止用の突出部が設けられ、突出部における上記側面からの突出寸法は、上記解除位置に位置した操作部における上記側面からの突出寸法以上であり、突出部の後端部は、上記解除位置に位置した操作部の後端部よりも器体の後方に位置していることを特徴とする。
【００３７】
請求項１の発明によれば、器体の側面には、誤操作防止用の突出部を、当該側面内で操作部の移動方向に直交する方向において操作部と並ぶ形に形成してあり、しかも突出部の後端部は、上記解除位置に位置した操作部の後端部よりも器体の後方に位置しているので、接続位置に位置した操作部の後端部に物体が当接し、当該物体が操作部を接続位置から解除位置に移動させるように器体に対して相対変位したとしても、操作部が接続位置から解除位置まで移動させられる前に、上記物体が突出部の後端部に当接するから、上記物体によって操作部が解除位置に移動させられることがなく、しかも、突出部における上記側面からの突出寸法は、上記接続位置に位置した操作部における上記側面からの突出寸法以上となっているので、上記物体が突出部の側面に沿う形で器体に対して相対変位した場合でも、上記物体によって操作部が解除位置まで移動させられることがないから、予期せずに解除レバーが操作され、電線の接続状態が解除されてしまうことを防止できる。
【００３８】
請求項２の発明では、請求項１の発明において、突出部の後端部は、上記接続位置に位置した操作部の後端部よりも前方に位置していることを特徴とする。
【００３９】
請求項２の発明によれば、解除レバーの操作部を手動操作する際に、突出部が邪魔になってしまうことを抑制でき、解除レバーの操作性を向上できる。
【発明の効果】
【００４０】
本発明は、予期せずに解除レバーが操作され、電線の接続状態が解除されてしまうことを防止できるという効果を奏する。
【発明を実施するための最良の形態】
【００４１】
本発明の一実施形態の配線器具Ｃは、図２〜図３に示すように、上記従来例（図７〜図１４に示す従来例）と同様のアースターミナル付きの埋込形コンセントであり、上記従来例と同様に、造営材４００（図６（ａ）参照）に形成された埋込孔４１０（図６（ａ）参照）より前面が露出する形で造営材４００に埋め込み設置された器体１と、当該器体１に収納された速結端子装置とを備え、速結端子装置は、器体１の後面に貫設された電線挿入孔９１を通して器体１に導入された電線２００に接触する端子板１０と、ばね力を利用して端子板１０との間で電線２００を狭持するとともに鎖錠部（ばね片２２の先端）が電線２００に当接して抜け止めする接続手段となる錠ばね２０、当該錠ばね２０による抜け止め状態を解除する解除レバー３０と、補助ばね５０とで構成され、解除レバー３０は、器体１の側面に当該側面の後端側に位置する接続位置と上記側面の前端側に位置する解除位置との間を移動自在に取り付けられた手動操作用の操作部３１と、操作部３１が上記接続位置から上記解除位置に移動されたときに電線２００に当接したばね片２２の先端をばね力に抗して電線２００から引き離す向きに押し動かす押動部３６とを有している。
【００４２】
しかしながら、本実施形態の配線器具Ｃは、図３に示すように、器体１の上記側面（ボディ１ａにおける短手方向の側面）に、誤操作防止用の突出部９４が設けられている点で上記従来例と異なっている。なお、上記従来例と同様の構成については同一の符号を付して説明を省略する。
【００４３】
突出部９４は、図５に示すように、ボディ１ａの長手方向における縦溝９３の縁部に形成されている。つまり、突出部９４は、ボディ１ａにおける短手方向の側面（つまり、端子板収納室９０と通じる複数の縦溝９３が設けられた側面）に、ボディ１ａにおける短手方向の側面内で操作部３１の移動方向（器体１の前後方向）に直交する方向（図３における上下方向）において操作部３１と並ぶ形に設けられている。
【００４４】
ここで、突出部９４は、図１に示すように、上記側面からの突出寸法が、上記解除位置に位置した操作部３１における上記側面からの突出寸法以上となる（つまり、突出部９４の側面が上記解除位置に位置した操作部３１の側面よりも器体１の外側に位置する）形に形成されている。また、突出部９４は、その後端部が、上記解除位置に位置した操作部３１の後端部よりも器体１の後方に位置する形に形成されている。つまり、操作部３１は、上記解除位置に位置している限り、器体１の長手方向に直交する面内において、突出部９４より外方に突出しないようになっている。また、突出部９４の後端部は、図４（ａ），（ｂ）に示すように、上記接続位置に位置した操作部３１の後端部よりも器体１の前方に位置している。さらに、突出部９４の後端部は、器体１の前方にいくにつれて器体１の側面からの突出寸法が増加する形に傾斜したテーパ状となっている。
【００４５】
本実施形態の配線器具Ｃは、上記従来例と同様に、埋込ボックス３００内に引き込まれた電線３００を電線挿入孔９１より器体１内に挿入して速結端子装置に接続してから、器体１を埋込ボックス３００内に差し入れ、その後に、組立枠２の長孔２ｄ，２ｄを挿通させたボックスねじをねじ孔３２０に螺着することによって、埋込ボックス３００に取り付けられる（造営材４００に埋め込み設置される）。
【００４６】
ここで、埋込ボックス３００内にセパレータ３３０が設けられていた場合、このようなセパレータ３３０の先端部が上記接続位置に位置した操作部３１の後端部に当接するおそれがある。しかしながら、このようなセパレータ３３０の長さは器体１の長さより長いため、セパレータ３３０の先端部は、操作部３１が上記接続位置から上記解除位置に移動するまでに、器体１の上記側面に設けられた突出部９４の後端部に当接することとなり、この状態から器体１を埋込ボックス３００内に挿入していくと、突出部９４の後端部に当接したセパレータ３３０は、突出部９４のテーパ状に形成された後端部により器体１の上記側面から離間する方向に誘導（ガイド）され、図６（ｂ）に示すように、器体１がセパレータ３３０に突っかかることなくスムースにセパレータ３３０で仕切られた埋込ボックス３００の収納スペース内に入り込むことになる。このとき、突出部９４における上記側面からの突出寸法は、上記接続位置に位置した操作部３１における上記側面からの突出寸法以上となっているから、セパレータ３３０が突出部３１の側面に沿う形で器体１に対して相対変位した場合でも、セパレータ３３０が操作部３１に干渉することはない。そして、セパレータ３３０が操作部３１の後端部に当接しなくなると、操作部３１は錠ばね２０のばね力によって上記接続位置に戻される。
【００４７】
したがって、以上述べた本実施形態の配線器具Ｃによれば、器体１において操作部３１が移動自在に設けられた側面には、解除レバー３０の誤操作防止用の突出部９４を、当該側面内で操作部３１の移動方向に直交する方向において操作部３１と並ぶ形に形成してあり、しかも突出部３１の後端部は、上記解除位置に位置した操作部３１の後端部よりも器体１の後方に位置しているので、上記接続位置に位置した操作部３１の後端部にセパレータ３３０などの物体が当接し、当該物体が操作部３１を上記接続位置から上記解除位置に移動させるように器体１に対して相対変位したとしても、操作部３１が上記接続位置から上記解除位置まで移動させられる前に、上記物体が突出部９４の後端部に当接するから、上記物体によって操作部３１が上記解除位置に移動させられることがなく、しかも、突出部９４における上記側面からの突出寸法は、上記接続位置に位置した操作部３１における上記側面からの突出寸法以上となっているので、上記物体が突出部３１の側面に沿う形で器体１に対して相対変位した場合でも、上記物体によって操作部３１が上記解除位置まで移動させられることがないから、予期せずに解除レバー３０が操作され、電線２００の接続状態が解除されてしまうことを防止でき、電線２００が不安定な状態となってしまうことがない。
【００４８】
本実施形態の配線器具Ｃにおいては、突出部９４の後端部は、図４（ａ），（ｂ）に示すように、上記接続位置に位置した操作部３１の後端部よりも器体１の前方に位置している。そのため、解除レバー３０の操作部３１を手動操作する際（操作者が操作部３１に触れる際）に、突出部９４が邪魔になってしまうことを抑制でき、解除レバー３０の操作性を向上できる。ただし、突出部９４の後端部は、上記接続位置に位置した操作部３１の後端部より器体１の後方に位置していてもよい。この場合、操作部３１にセパレータ３３０などの物体が触れることがないから、誤操作を確実に防止できる。
【００４９】
また、本実施形態の配線器具Ｃにおいては、操作部２１を器体１の長手方向で挟み込む形に並置された２つの操作部３１（図３における上側の２つの操作部３１）の片側（器体１の長手方向一端側〔図３における上端側〕）と、単独で設けられた操作部３１（図３における下側の操作部３１）の片側（器体１の長手方向一端側〔図３における上端側〕）とにそれぞれ突出部９４を設けている。
【００５０】
この場合、上記並置された２つの操作部３１および単独で設けられた操作部３１それぞれにおいて突出部９４が設けられていない側では、手で操作部３１に触れやすくなるため、解除レバー３０の操作性を向上できる。一方、セパレータ３３０などの誤操作の原因となる物体は操作部３１を上記解錠位置に移動させる前に、突出部９４に当接するから、誤操作が防止される。そのため、操作部３１の片側にのみ突出部９４を設けるほうが、並置された２つの操作部３１の両側に突出部９４を形成する場合、および単独で設けられた操作部３１の両側）に突出部９４を形成する場合よりも、解除レバー３０の操作性の向上が図れる。
【００５１】
なお、本実施形態では、本発明の技術的思想をアースターミナル付きの埋込形コンセントである配線器具に適用した例について説明したが、本発明の技術的思想は、図２，３に示す形のアースターミナル付きの埋込形コンセントに限られるものではなく、本発明の趣旨を逸脱しない程度の仕様変更は可能である。また、本発明の技術的思想は、勿論、アースターミナルなしの埋込形コンセントにも適用できるし、またコンセント以外の配線器具（例えば、埋込形スイッチなど）にも適用することができる。
【図面の簡単な説明】
【００５２】
【図１】本発明の一実施形態の配線器具の要部の概略断面図である。
【図２】同上の配線器具を示し、（ａ）は前方から見た斜視図、（ｂ）は後方から見た斜視図である。
【図３】同上の配線器具の後面図である。
【図４】（ａ）は図３におけるＡ−Ａ線矢視図、（ｂ）は同上の配線器具の側面図である。
【図５】同上における器体の部分拡大図である。
【図６】同上の配線器具を埋め込み設置する際の説明図である。
【図７】従来例の配線器具の分解斜視図である。
【図８】同上における刃受を省略した端子板を示し、（ａ）は正面図、（ｂ）は下面図、（ｃ）は右側面図である。
【図９】同上における解除レバーを示し、（ａ）は正面図、（ｂ）は下面図、（ｃ）は右側面図である。
【図１０】同上における端子板、錠ばね、解除レバーの斜視図である。
【図１１】同上におけるボディに解除レバーを組み込んだ状態を示す一部省略した正面図である。
【図１２】同上における端子板、錠ばね、補助ばねの一部省略した斜視図である。
【図１３】同上の配線器具の要部の概略断面図である。
【図１４】同上の配線器具において電線が接続された状態を示す一部省略した概略断面図である。
【図１５】同上の配線器具を収納する埋め込みボックスの正面図である。
【図１６】同上の配線器具を埋め込み設置する際の説明図である。
【符号の説明】
【００５３】
１    器体
１０    端子板
２０    錠ばね（接続手段）
３０    解除レバー
３１    操作部
９１    電線挿入孔
９４    突出部
２００    電線
【図１】
0004803136.tif 000002
【図２】
0004803136.tif 000003
【図３】
0004803136.tif 000004
【図４】
0004803136.tif 000005
【図５】
0004803136.tif 000006
【図６】
0004803136.tif 000007
【図７】
0004803136.tif 000008
【図８】
0004803136.tif 000009
【図９】
0004803136.tif 000010
【図１０】
0004803136.tif 000011
【図１１】
0004803136.tif 000012
【図１２】
0004803136.tif 000013
【図１３】
0004803136.tif 000014
【図１４】
0004803136.tif 000015
【図１５】
0004803136.tif 000016
【図１６】
0004803136.tif 000017